(57)【特許請求の範囲】
【請求項１】
画像データと、前記画像データが有効か無効かを示す第１有効区間信号と、予め定められた１ライン分の周期で状態が変化し、ラインの切り替わりを示す同期信号を送信する送信部と、
前記画像データと前記有効区間信号と前記同期信号の入力を受け、前記画像データと前記同期信号を出力するとともに、前記第１有効区間信号の状態が変化したとき、予め定められた回数、前記第１有効区間信号の状態をサンプリングし、連続して同じ状態が所定回数続くと続いた状態に論理を切り替えて、前記第１有効区間信号からノイズを除去した第２有効区間信号を生成し、出力するノイズ処理部と、
前記ノイズ処理部が出力した前記画像データと前記同期信号と前記第２有効区間信号が入力され、前記第２有効区間信号に基づき、前記画像データが有効な区間であるか否かを認識し、有効区間の前記画像データを取得する受信部と、を含み、
前記ノイズ処理部は、複数ライン分、前記同期信号の変化点から前記第２有効区間信号の変化点までの時間を測定し、測定した時間に基づき基準値を求め、前記基準値と前記同期信号の変化点から前記第２有効区間信号の変化点までの時間を各ラインで比較し、前記第１有効区間信号へのノイズ混入による前記有効区間のずれの有無を検知することを特徴とするデータ伝送装置。
【請求項２】
前記ノイズ処理部は、複数ライン分、前記同期信号の変化点から区間が有効になったことを示す前記第２有効区間信号の第１変化点までの時間を測定し、測定した時間に基づき第１基準値を求め、前記第１基準値と、各ラインの前記同期信号の変化点から前記第１変化点までの時間差である第１時間差が予め定められた許容範囲に収まるか否かにより、前記有効区間の開始の遅れの有無を検知することを特徴とする請求項１記載のデータ伝送装置。
【請求項３】
前記ノイズ処理部は、ラインの画像データを記憶するラインメモリーを含み、前記有効区間の開始の遅れを検知したラインでは、空白データ、前のラインの画像データ、又は、前記第１時間差分ずらした現在のラインの画像データの何れかを画像データとして前記受信部に出力し、前記有効区間の開始の遅れを検知しないラインでは、前記送信部が送信した前記画像データを前記受信部に入力することを特徴とする請求項２に記載のデータ伝送装置。
【請求項４】
前記ノイズ処理部は、前記有効区間の開始の遅れを検知したラインでは、前記第１時間差分、前記有効区間を長くした前記第２有効区間信号を前記受信部に出力することを特徴とする請求項２又は３に記載のデータ伝送装置。
【請求項５】
前記有効区間の開始の遅れを検知したラインに対し、空白データ、前のラインの画像データ、又は、前記第１時間差分ずらした現在のラインの画像データのうち、何れを画像データとして前記受信部に出力するかの選択を受け付ける入力部を含み、
前記ノイズ処理部は、前記入力部への選択入力に応じ、前記有効区間の開始の遅れを検知したラインで、空白データ、前のラインの画像データ、又は、前記第１時間差分ずらした現在のラインの画像データを前記画像データとして前記受信部に出力することを特徴とする請求項３又は４に記載のデータ伝送装置。
【請求項６】
前記入力部は、前記送信部から送信する画像データの種類を定める入力と、前記画像データの種類に応じて、空白データ、前のラインの画像データ、又は、前記第１時間差分ずらした現在のラインの画像データのうち、何れを画像データとして前記受信部に出力するかを定める入力を受け付け、
前記ノイズ処理部は、前記有効区間の開始の遅れを検知したラインで、前記画像データの種類に応じ、空白データ、前のラインの画像データ、又は、前記第１時間差分ずらした現在のラインの画像データを前記画像データとして前記受信部に出力することを特徴とする請求項５に記載のデータ伝送装置。
【請求項７】
前記ノイズ処理部は、複数ライン分、前記同期信号の変化点から区間が無効になったことを示す前記第２有効区間信号の第２変化点までの時間を測定し、測定した時間に基づき第２基準値を求め、前記第２基準値と各ラインの前記同期信号の変化点から前記第２変化点までの時間差である第２時間差が予め定められた許容範囲に収まるか否かにより、前記有効区間の終了の遅れの有無を検知することを特徴とする請求項１乃至６の何れか１項に記載のデータ伝送装置。
【請求項８】
前記ノイズ処理部は、前記有効区間の終了の遅れを検知したラインでは、前記第２基準値よりも後の前記有効区間を無効区間とするように、前記第２有効区間信号の状態を変化させることを特徴とする請求項７に記載のデータ伝送装置。
【請求項９】
請求項１乃至８の何れか１項に記載のデータ伝送装置を含むことを特徴とする画像形成装置。
【発明の詳細な説明】
【技術分野】
【０００１】
本発明は、ノイズを除去しつつ画像データを伝送するデータ伝送装置と、このデータ伝送装置を含む複写機、複合機、ＦＡＸ装置等の画像形成装置に関する。
【背景技術】
【０００２】
例えば、複写機、複合機、ＦＡＸ装置等の画像形成装置に原稿を読み取って画像データを生成する画像読取部（スキャナー）が設けられることがある。そして、画像読取部のような画像データを生成する部分から画像データに基づき処理（例えば、画像処理や印刷）を行う部分に向けて画像データの伝送が行われる。この画像データの伝送では、タイミングのずれ等を防ぐ観点から、送信部と受信部で同期をとりつつ、伝送を行う場合がある。画像データ伝送での同期に関する技術の一例が特許文献１に記載されている。
【０００３】
具体的に、特許文献１には、信号中の水平同期信号パルス幅時間と不要パルス等のパルス幅時間とを比較判別し、水平同期信号のパルス幅より長いパルス幅時間を有する場合にパルス信号を出力し、水平同期信号のパルス幅時間より短いパルス幅時間を有する場合は信号を出力しない第１のノイズ除去部と、第１のノイズ除去部よりの信号を基にしてパルス信号を発生し、信号と水平同期信号とを比較し、一定の場合にパルス信号を出力する第２のノイズ除去部と、第２のノイズ除去部よりの信号を基にして水平同期信号を再生ずる水平同期信号再生部とで構成したノイズパルス除去回路が記載されている。この構成により、不要信号を除去して、正規の水平同期信号と同等のパルスを再生し、水平同期の安定化を図ろうとする（特許文献１：請求項１、［発明が解決しようとする課題］の欄等参照）。
【先行技術文献】
【特許文献】
【０００４】
【特許文献１】特開平０４−１８０３６５号公報
【発明の概要】
【発明が解決しようとする課題】
【０００５】
まず、画像データ伝送での送信部と受信部の同期を図るため、水平同期信号や垂直同期信号といった信号の他、画像データの伝送が有効な区間であるか、無効な区間であるかを示す有効区間信号を送信部から受信部に向けて送信することがある。受信部は、有効区間信号が、有効区間を示す状態（例えば、Ｈｉｇｈ又はＬｏｗ）であるときに、画像データを取り込む。言い換えると、有効区間信号は、画像データ伝送の開始と終了を受信部に伝達するための信号である。
【０００６】
一方、有効区間信号や、垂直同期信号や、水平同期信号に、ノイズが混入することがある。ノイズにより、正確な同期が妨げられ、画像データの伝送に支障を生じさせることがある。そこで、有効区間信号等に混入したノイズ除去処理を行う部分（例えば、ノイズ除去回路）が設けられることがある。このノイズ処理部には、有効区間信号等が入力される。そして、ノイズ処理部は、ノイズ除去後の有効区間信号等を受信部に出力する。
【０００７】
ここで、送信部からの信号の状態が変わったとき、複数回、一定の時間をかけて、送信部からの信号の状態（ＨｉｇｈであるかＬｏｗであるか）をサンプリングしてノイズ処理を行うことがある。具体的に、複数回連続して同じ状態が続かなければノイズとして扱い、受信部に出力する信号の状態を変化前の状態で維持して、ノイズ除去を行う。一方、複数回連続して変化後の状態が続けば、ノイズによる状態変化では無いと判断して、受信部に出力する信号の状態を変化させる。このような方法で有効区間信号等のノイズ除去を行うことがある。
【０００８】
しかし、このような方法によりノイズ除去を行うとき、受信部に入力される有効区間信号の変化点（開始や終了を示すエッジ）が、本来の位置よりも大きく遅れることがあるという問題がある。具体的には、有効区間の開始や終了に近いタイミングで送信部からの有効区間信号にノイズが混入すると、ノイズ処理部は、ノイズか否かを判断するため、一定の時間をかけて、複数回、送信部からの信号の状態をサンプリングする。そして、この複数回のサンプリング中、ノイズではなく、正当に送信部からの有効区間信号が変化するときがある。この場合、ノイズによる状態変化に起因する複数回のサンプリングが完了してから、正当な有効区間信号の変化に対する複数回のサンプリングが行われる。そのため、ノイズ処理部が受信部に出力する有効区間信号の状態変化が遅れてしまう。
【０００９】
このように、ノイズにより有効区間信号の状態変化が遅れると、受信部が送信部により送信された画像データを適切に受信できないという問題がある。例えば、画像データ中の画素の一部の欠落が生じ、異常な画像となってしまうことがある。
【００１０】
尚、特許文献１記載の発明は、不要信号を除去して、正規の水平同期信号と同等のパルスを再生する。しかし、ノイズ除去に伴い、有効区間信号で示される有効区間がずれることにより、受信部が画像データを適切に受信できないという問題についての言及はなく、上記の問題を解決することはできない。
【００１１】
本発明は、上記従来技術の問題点に鑑み、有効区間のずれにより画像データを受信部が適切に受信できないという問題に対処するため、複数回のサンプリングによるノイズ除去で生じた受信部に向けての有効区間信号の変化点のずれを検知することを課題とする。
【課題を解決するための手段】
【００１２】
上記目的を達成するために、請求項１に係るデータ伝送装置は、画像データと、前記画像データが有効か無効かを示す第１有効区間信号と、予め定められた１ライン分の周期で状態が変化し、ラインの切り替わりを示す同期信号を送信する送信部と、前記画像データと前記有効区間信号と前記同期信号の入力を受け、前記画像データと前記同期信号を出力するとともに、前記第１有効区間信号の状態が変化したとき、予め定められた回数、前記第１有効区間信号の状態をサンプリングし、連続して同じ状態が所定回数続くと続いた状態に論理を切り替えて、前記第１有効区間信号からノイズを除去した第２有効区間信号を生成し、出力するノイズ処理部と、前記ノイズ処理部が出力した前記画像データと前記同期信号と前記第２有効区間信号が入力され、前記第２有効区間信号に基づき、前記画像データが有効な区間であるか否かを認識し、有効区間の前記画像データを取得する受信部と、を含み、前記ノイズ処理部は、複数ライン分、前記同期信号の変化点から前記第２有効区間信号の変化点までの時間を測定し、測定した時間に基づき基準値を求め、前記基準値と前記同期信号の変化点から前記第２有効区間信号の変化点までの時間を各ラインで比較し、前記第１有効区間信号へのノイズ混入による前記有効区間のずれの有無を検知することとした。
【００１３】
この構成によれば、ノイズ処理部は、複数ライン分、同期信号の変化点から第２有効区間信号の変化点までの時間を測定し、測定した時間に基づき基準値を求め、基準値と同期信号の変化点から第２有効区間信号の変化点までの時間を各ラインで比較し、第１有効区間信号へのノイズ混入による有効区間のずれの有無を検知する。これにより、第１有効区間信号の変化点に近いタイミングで生じたノイズの除去処理によって、第２有効区間信号で示される有効区間にずれが生じたラインを検知することができる。
【００１４】
又、請求項２に係る発明は、請求項１の発明において、前記ノイズ処理部は、複数ライン分、前記同期信号の変化点から区間が有効になったことを示す前記第２有効区間信号の第１変化点までの時間を測定し、測定した時間に基づき第１基準値を求め、前記第１基準値と、各ラインの前記同期信号の変化点から前記第１変化点までの時間差である第１時間差が予め定められた許容範囲に収まるか否かにより、前記有効区間の開始の遅れの有無を検知することとした。
【００１５】
この構成によれば、ノイズ処理部は、複数ライン分、同期信号の変化点から区間が有効になったことを示す第２有効区間信号の第１変化点までの時間を測定し、測定した時間に基づき第１基準値を求め、第１基準値と、各ラインの同期信号の変化点から第１変化点までの時間差である第１時間差が予め定められた許容範囲に収まるか否かにより、有効区間の開始の遅れの有無を検知する。これにより、第２有効区間信号が有効を示す状態になる時点（有効区間の開始時点）のずれ（遅れ）の発生を検知することができる。
【００１６】
又、請求項３に係る発明は、請求項２の発明において、前記ノイズ処理部は、ラインの画像データを記憶するラインメモリーを含み、前記有効区間の開始の遅れを検知したラインでは、空白データ、前のラインの画像データ、又は、前記第１時間差分ずらした現在のラインの画像データの何れかを画像データとして前記受信部に出力し、前記有効区間の開始の遅れを検知しないラインでは、前記送信部が送信した前記画像データを前記受信部に入力することとした。
【００１７】
この構成によれば、ノイズ処理部は、ラインの画像データを記憶するラインメモリーを含み、有効区間の開始の遅れを検知したラインでは、空白データ、前のラインの画像データ、又は、第１時間差分ずらした現在のラインの画像データの何れかを画像データとして受信部に出力し、有効区間の開始の遅れを検知しないラインでは、送信部が送信した画像データを受信部に入力する。これにより、ノイズにより第２有効区間信号で有効区間の開始を示す変化点がずれ、受信部での画像データ取得開始が遅れても、ずれたラインでの画像データの内容を補正することができる。そして、有効区間の開始にずれが生じても、画質への影響を軽減することができる。
【００１８】
又、請求項４に係る発明は、請求項２又は３の発明において、前記ノイズ処理部は、前記有効区間の開始の遅れを検知したラインでは、前記第１時間差分、前記有効区間を長くした前記第２有効区間信号を前記受信部に出力することとした。
【００１９】
この構成によれば、ノイズ処理部は、有効区間の開始の遅れを検知したラインでは、第１時間差分、第１有効区間信号よりも有効区間を長くした第２有効区間信号を受信部に出力する。これにより、第２有効区間信号での有効区間の開始の遅れに伴い、短くなってしまった有効区間を通常の有効区間の長さに戻し、１ライン分のデータの全てを受信部に取得させることができる。
【００２０】
又、請求項５に係る発明は、請求項３又は４の発明において、前記有効区間の開始の遅れを検知したラインに対し、空白データ、前のラインの画像データ、又は、前記第１時間差分ずらした現在のラインの画像データのうち、何れを画像データとして前記受信部に出力するかの選択を受け付ける入力部を含み、前記ノイズ処理部は、前記入力部への選択入力に応じ、前記有効区間の開始の遅れを検知したラインで、空白データ、前のラインの画像データ、又は、前記第１時間差分ずらした現在のラインの画像データを前記画像データとして前記受信部に出力することとした。
【００２１】
この構成によれば、ノイズ処理部は、入力部への選択入力に応じ、有効区間の開始の遅れを検知したラインで、空白データ、前のラインの画像データ、又は、第１時間差分ずらした現在のラインの画像データを画像データとして受信部に出力する。これにより、使用者は、ノイズにより有効区間がずれたラインでの画像データの内容の補正方法を選択することができる。従って、使用者は、任意の補正方法で有効区間がずれたラインでの画像データを補正することができる。
【００２２】
又、請求項６に係る発明は、請求項５の発明において、前記入力部は、前記送信部から送信する画像データの種類を定める入力と、前記画像データの種類に応じて、空白データ、前のラインの画像データ、又は、前記第１時間差分ずらした現在のラインの画像データのうち、何れを画像データとして前記受信部に出力するかを定める入力を受け付け、前記ノイズ処理部は、前記有効区間の開始の遅れを検知したラインで、前記画像データの種類に応じ、空白データ、前のラインの画像データ、又は、前記第１時間差分ずらした現在のラインの画像データを前記画像データとして前記受信部に出力することとした。
【００２３】
この構成によれば、ノイズ処理部は、有効区間の開始の遅れを検知したラインで、画像データの種類に応じ、空白データ、前のラインの画像データ、又は、第１時間差分ずらした現在のラインの画像データを画像データとして受信部に出力する。これにより、例えば、文書の画像データでは、前のラインのデータ、又は、第１時間差分ずらした現在のラインのデータで補正し、文字の輪郭の乱れによる画質の劣化を低減し、写真等の画像データでは、空白データで画質の劣化を低減するというように、ノイズが発生したラインに対し、画像データの種類に応じて所望の補正を行うことができる。
【００２４】
又、請求項７に係る発明は、請求項１乃至６の発明において、前記ノイズ処理部は、複数ライン分、前記同期信号の変化点から区間が無効になったことを示す前記第２有効区間信号の第２変化点までの時間を測定し、測定した時間に基づき第２基準値を求め、前記第２基準値と各ラインの前記同期信号の変化点から前記第２変化点までの時間差である第２時間差が予め定められた許容範囲に収まるか否かにより、前記有効区間の終了の遅れの有無を検知することとした。
【００２５】
この構成によれば、ノイズ処理部は、複数ライン分、同期信号の変化点から区間が無効になったことを示す第２有効区間信号の第２変化点までの時間を測定し、測定した時間に基づき第２基準値を求め、第２基準値と各ラインの同期信号の変化点から第２変化点までの時間差である第２時間差が予め定められた許容範囲に収まるか否かにより、有効区間の終了の遅れの有無を検知する。これにより、第２有効区間信号が無効となった時点（有効区間の終了時点）のずれ（遅れ）の発生を検知することができる。
【００２６】
又、請求項８に係る発明は、請求項７の発明において、前記ノイズ処理部は、前記有効区間の終了の遅れを検知したラインでは、前記第２基準値よりも後の前記有効区間を無効区間とするように、前記第２有効区間信号の状態を変化させることとした。
【００２７】
この構成によれば、ノイズ処理部は、有効区間の終了の遅れを検知したラインでは、有効区間中、第２基準値よりも後の有効区間では、空白データ、前のラインの画像データの何れかを画像データとして受信部に出力する。これにより、ノイズにより有効区間の終了を示す第２有効区間信号の変化点がずれ、受信部での画像データ取得完了が遅れても、ずれたラインでの画像データの内容への影響を軽減することができる。
【００２８】
又、請求項９に係る画像形成装置は、請求項１乃至８の何れか１項に記載のデータ伝送装置を含むこととした。
【００２９】
この構成によれば、画像データの伝送の同期に用いる信号にノイズ混入による有効区間のずれを検知可能な画像形成装置を提供することができる。又、画質への影響が軽減された画像データに基づき印刷を行うことができるので、印刷物が高画質の画像形成装置を提供することができる。
【発明の効果】
【００３０】
上述したように、本発明によれば、サンプリングによるノイズ除去処理で生じた受信部に対する第２有効区間信号での変化点のずれを検知することができる。そして、有効区間のずれにより画像データを受信部が適切に受信できないという問題に対処することができる。
【図面の簡単な説明】
【００３１】
【図１】複合機の一例を示す模型的正面断面図である。
【図２】複合機の構成の一例を示すブロック図である。
【図３】画像データ生成と伝送に関するハードウェアの一例を示すブロック図である。
【図４】データ伝送装置のハードウェア構成の一例を示すブロック図である。
【図５】データ伝送装置で、ノイズが無いときの各信号の状態変化の一例を示すタイミングチャートである。
【図６】データ伝送装置で、ノイズ混入による有効区間の開始の遅れを説明するためのタイミングチャートである。
【図７】ノイズ混入による有効区間の開始の遅れの検知制御の流れの一例を示すフローチャートである。
【図８】有効区間の開始の遅れ検知時の処理の流れの一例を示すフローチャートである。
【図９】有効区間の開始の遅れを検知したときの画像データ伝送の補正の設定を行うための設定画面の一例を示す説明図である。
【図１０】データ伝送装置で、ノイズ混入による有効区間の開始の遅れを説明するためのタイミングチャートである。
【図１１】ノイズ混入による有効区間の終了の遅れの検知制御の流れの一例を示すフローチャートである。
【発明を実施するための形態】
【００３２】
以下、図１〜図１１を用いて、本発明の実施形態を説明する。本説明では、データ伝送装置１００を含む複合機１０１（画像形成装置に相当）を例に挙げて説明する。但し、本実施形態に記載されている構成、配置等の各要素は、発明の範囲を限定するものではなく単なる説明例にすぎない。
【００３３】
（画像形成装置の概略）
まず、図１に基づき、実施形態に係る画像形成装置としての複合機１０１の概略を説明する。図１は、複合機１０１の一例を示す模型的正面断面図である。
【００３４】
図１に示すように、本実施形態の複合機１０１は、最上部に原稿カバー１０１ａを有する。又、複合機１０１本体には、操作パネル１（入力部に相当）、画像読取部２、給紙部３ａ、搬送路３ｂ、画像形成部４ａ、定着部４ｂ等が設けられる。
【００３５】
まず、図１に破線で示すように、操作パネル１は複合機１０１の正面上方に設けられる。そして、操作パネル１は、複合機１０１の状態や各種メッセージを表示する液晶表示部１１を備える。液晶表示部１１は、機能の選択、設定や文字入力等を行うためのキーを１又は複数表示できる。又、液晶表示部１１は、各種のメッセージを表示する。又、液晶表示部１１に対し、タッチパネル部１２（例えば、抵抗膜方式）が設けられる。タッチパネル部１２は、液晶表示部１１で押された位置に応じた信号を出力する。又、操作パネル１には、コピー等の各種機能の実行開始を指示するためのスタートキー１３等、各種のハードキーも設けられる。
【００３６】
原稿カバー１０１ａは、図１の紙面奥行き方向に支点を有し、手前側を振るように上下方向で開閉可能である。原稿カバー１０１ａは、原稿の複写時、載置読取用コンタクトガラス２１に載置された原稿を押さえる。
【００３７】
画像読取部２は、載置読取用コンタクトガラス２１に載置された原稿を読み取り、原稿の画像データを形成する。又、画像読取部２内には露光用のランプ２３（図３参照）、イメージセンサー２４（例えば、ＣＣＤ、図３参照）、ミラー（不図示）、レンズ（不図示）等の光学系部材が設けられる。尚、原稿カバー１０１ａに変えて、原稿を１枚ずつ、自動的、連続的に、画像読取部２の読み取り位置（送り読取用コンタクトガラス２２）に向けて搬送する原稿搬送装置を設けてもよい。
【００３８】
そして、これらの光学系部材を用い、画像読取部２は、載置読取用コンタクトガラス２１に載置される原稿に光を照射し、その原稿の反射光を受けたイメージセンサー２４の各画素の出力値をＡ／Ｄ変換し、画像データを生成する。複合機１０１は、読み取りにより得られた画像データに基づき印刷を行うことができる（コピー機能）。又、複合機１０１は読み取りにより得られた画像データをコンピューター２００やＦＡＸ装置３００等に送信することができる（図２参照、スキャン機能、送信機能）。
【００３９】
給紙部３ａは、複数の用紙（例えば、コピー用紙、普通紙、再生紙、厚紙、ＯＨＰシート等の各種シート）を収容し、１枚ずつ搬送路３ｂに送り込む。給紙部３ａは、収納用紙が載置されるカセット３０を含む（図１で上方のものに３０ａ、下方のものに３０ｂの符号を付す）。又、カセット３０から搬送路３ｂに用紙を送り出すため回転駆動する給紙ローラー３１、３２が設けられる（図１では上方のものが給紙ローラー３１、下方のものが給紙ローラー３２。）。例えば、印刷時に、何れかの給紙ローラー３１、３２が回転駆動する。これにより、用紙が１枚ずつ搬送路３ｂに送り出される。
【００４０】
搬送路３ｂは、給紙部３ａから排出トレイ３３まで用紙を搬送する通路である。尚、用紙搬送経路上には画像形成部４ａ、定着部４ｂ等が配される。そして、搬送路３ｂには、用紙の案内のためのガイド３４や、用紙搬送の際に回転駆動する搬送ローラー対３５や、搬送されてくる用紙を画像形成部４ａの手前で待機させ、トナー像形成のタイミングに合わせて用紙を送り出すレジストローラー対３６や、排出トレイ３３に用紙を排出する排出ローラー対３７等が設けられる。
【００４１】
画像形成部４ａは、画像データに基づきトナー像を形成し、搬送される用紙にトナー像を転写する。そのため、画像形成部４ａは、図１中に示す矢印方向に回転駆動可能に支持された感光体ドラム４１、及び、感光体ドラム４１の周囲に配設された帯電装置４２、露光装置４３、現像装置４４、転写ローラー４５、クリーニング装置４６等を備える。
【００４２】
トナー像形成及び転写プロセスを説明する。まず、感光体ドラム４１は、画像形成部４ａの略中心に設けられ、所定方向に回転駆動する。帯電装置４２は、感光体ドラム４１を所定電位に帯電させる。露光装置４３は、画像データに基づき、レーザー光を出力し、感光体ドラム４１の表面を走査、露光する。これにより、画像データに応じた静電潜像が感光体ドラム４１の周面上に形成される。尚、画像データとしては、画像読取部２で得られた画像データや、ネットワーク等により接続される外部のコンピューター２００や相手方ＦＡＸ装置３００（図３参照）から送信された画像データ等が用いられる。
【００４３】
そして、現像装置４４は、感光体ドラム４１に形成された静電潜像にトナーを供給して現像する。転写ローラー４５は感光体ドラム４１に圧接する。そして、レジストローラー対３６は、トナー像にあわせタイミングを図り、用紙を感光体ドラム４１と転写ローラー４５のニップに進入させる。用紙のニップ進入時、所定の電圧が転写ローラー４５に印加される。これにより、用紙に感光体ドラム４１上のトナー像が転写される。クリーニング装置４６は、転写後に感光体ドラム４１に残留するトナーを除去する。
【００４４】
定着部４ｂは、用紙に転写されたトナー像を定着させる。本実施形態の定着部４ｂは、発熱体を内蔵する加熱ローラー４７と加圧ローラー４８を含む。加熱ローラー４７と加圧ローラー４８は圧接しニップを形成する。そして、用紙が、このニップを通過することで、用紙表面のトナーが溶融・加熱され、トナー像が用紙に定着する。トナー定着後の用紙は、排出トレイ３３に排出される。このようにして、コピー機能、プリンター機能の使用時、画像形成（印刷）が行われる。
【００４５】
（画像形成装置のハードウェア構成）
次に、図２に基づき、実施形態に係る複合機１０１のハードウェア構成の一例を説明する。図２は、複合機１０１の構成の一例を示すブロック図である。
【００４６】
まず、複合機１０１には、主制御部５が設けられる。主制御部５は複合機１０１の動作制御を司る。主制御部５は、制御のため、例えば、ＣＰＵ５１を含む。ＣＰＵ５１は、中央演算処理装置であって、記憶部６に格納され、展開されるプログラムやデータに基づき複合機１０１の各部を制御する。
【００４７】
又、複合機１０１には、画像処理部５２が設けられる。画像処理部５２は、印刷を行う画像データや、外部のコンピューター２００や相手方のＦＡＸ装置３００に送信する画像データに対し各種画像処理を施す。例えば、画像処理部５２は、濃度変換や、拡大縮小や、圧縮伸張や、利用目的にあわせた画像データの形式変換等、複合機１０１が備える機能に応じて多種多様の画像処理を行える。
【００４８】
記憶部６は、例えば、ＲＯＭ６１（Read Only Memory、例えば、フラッシュＲＯＭ）、ＲＡＭ６２（Random Access Memory）、ＨＤＤ６３（Hard Disk Drive）を含む。このように、記憶部６は不揮発性と揮発性の記憶装置を組み合わせて構成される。
【００４９】
記憶部６は、複合機１０１の制御用等の各種のプログラムやデータ、設定データ、画像データ等の各種データを記憶する。例えば、画像処理部５２の処理前や処理後の画像データは、記憶部６のＲＡＭ６２やＨＤＤ６３等に格納され、印刷や送信に画像データが利用される。
【００５０】
そして、主制御部５は、操作パネル１、画像読取部２等とバスや信号線等で接続され、操作パネル１や画像読取部２の動作を制御する。又、主制御部５は、操作パネル１になされた入力内容を認識する。
【００５１】
又、主制御部５は、エンジン制御部４０と通信可能に接続される。エンジン制御部４０は印刷を行う部分（印刷エンジン部分）の動作を制御する。具体的に、エンジン制御部４０は、給紙部３ａ、搬送路３ｂ、画像形成部４ａ、定着部４ｂ等の印刷エンジン部分の動作を制御する。又、印刷ジョブを実行するとき、エンジン制御部４０は、用紙搬送などのため各種回転体を回転させるモーターや、トナー像を形成する回路、部分等を制御して、印刷を実際に制御する。主制御部５は、エンジン制御部４０に対し、印刷を行うべき旨を指示する。エンジン制御部４０は、この指示を受けて、印刷エンジン部分の動作を制御し、印刷を行わせる。
【００５２】
更に、主制御部５は、各種コネクタ、ソケット、通信制御用のチップ等を備えた通信部５３と接続される。通信部５３は、ネットワークや公衆回線等により、外部のコンピューター２００や相手方のＦＡＸ装置３００と、複合機１０１を通信可能に接続する。例えば、画像データを含むデータを外部のコンピューター２００や相手方ＦＡＸ装置３００（インターネットＦＡＸでもよい）に送信することができる（スキャナ機能、ＦＡＸ機能）。又、外部のコンピューター２００や相手方ＦＡＸ装置３００からの画像データに基づき印刷を行うこともできる（プリンター機能、ＦＡＸ機能）。このように、複合機１０１は、コピー機能、プリンター機能、スキャン機能、ＦＡＸ機能などの複数の機能を備える。
【００５３】
（画像データ生成と伝送に関するハードウェア構成の概要）
次に、図３に基づき、実施形態に係る複合機１０１での画像データ生成と伝送の一例を説明する。図３は、画像データ生成と伝送に関するハードウェアの一例を示すブロック図である。尚、画像データの流れは、白抜矢印で図示している。
【００５４】
まず、原稿を読み取って画像データを生成する画像読取部２には、例えば、読取制御部２０が設けられる。読取制御部２０は、例えば、スキャナＣＰＵ２０ａや読取制御用のプログラムやデータを記憶するメモリーなどの各種電子部品が実装された基板で構成される。そして、読取制御部２０は、主制御部５と通信可能に接続される。操作パネル１でコピー開始やスキャン開始が指示されて原稿の読み取りを行うとき、読取制御部２０は、主制御部５からの指示を受け、画像読取部２内の各部を実際に制御する。
【００５５】
読取制御部２０は、巻取モーター２Ｍやランプ２３やイメージセンサー２４等と接続される。読取制御部２０は、例えば、ランプ２３や各種ミラーを移動させるための巻取モーター２Ｍの動作や、原稿に光を照射するランプ２３の点消灯や、イメージセンサー２４等の駆動等を制御する。
【００５６】
まず、画像読取部２での原稿の読み取りと画像データ生成では、イメージセンサー２４は、ランプ２３から照射され原稿等で反射された反射光の強さに応じた電流（電圧）を画素ごとに出力する。尚、本実施形態のイメージセンサー２４は、白黒（グレースケール）での読み取りに対応し、各画素の輝度を示す信号を出力可能である。又、イメージセンサー２４は、カラー対応のラインセンサーであり、Ｒ、Ｇ、Ｂの各信号の出力も可能である。そして、イメージセンサー２４の各出力電流（電圧）は、Ａ／Ｄ変換部２５に入力される。尚、Ａ／Ｄ変換部２５の前段にイメージセンサー２４の各画素の出力値を増幅する増幅器が設けられてもよい。
【００５７】
例えば、Ａ／Ｄ変換部２５は、イメージセンサー２４の各画素のアナログの各出力電流（電圧）をディジタルの画像データに変換する。例えば、Ａ／Ｄ変換部２５は、グレースケールでは１画素当たり８ビット〜１０ビットに量子化する。又、Ａ／Ｄ変換部２５は、Ｒ、Ｇ、Ｂをそれぞれ１画素当たり８ビット〜１０ビットに量子化する（例えば、Ｒｅｄ、Ｇｒｅｅｎ、Ｂｌｕｅで各８ビット、それぞれ０〜２５５の値を取り、２５６階調）。このように、カラー又はグレースケールの画像データが生成され、伝送の対象となる。
【００５８】
補正部２６は、γ補正やシェーディング補正等、画像読取部２の読取特性に対する補正用の演算回路等で構成される。一般に、イメージセンサー２４において、ライン状に配された各画素に相当する各受光素子のばらつき（個体特性差）や、ランプ２３の位置による発光量のムラやレンズの特性等で、主走査方向において同一濃度のものを読み取っても、画素の位置により、イメージセンサー２４の各受光素子が出力する電流（電圧）の値に差が生ずる。そこで、補正部２６は、Ａ／Ｄ変換部２５から出力された画像データの補正を行う。尚、補正部２６を設けず、後述の画像処理部５２で補正処理を行うようにしても良い。
【００５９】
そして、画像データは、画像読取部２の送信部７から画像処理部５２の受信部９に向けて出力される。画像処理部５２は、受信部９で受信した画像データに対して画像処理を行う。例えば、画像処理部５２は、印刷や送信のため、濃度変換処理や、拡大・縮小処理や、回転処理や、圧縮・伸張処理や、データ形式変換処理など、各種の画像処理を行う。この画像処理のため、画像処理部５２には、１又は複数の画像処理回路５２ｃ（例えば、ＡＳＩＣ）が設けられる。尚、図３では、便宜上、画像処理回路５２ｃは１つのみ図示している。又、画像処理部５２が行う画像処理は、多種多様であるので、公知の画像処理を行えるものとして詳細な説明は割愛する。
【００６０】
又、送信部７と受信部９の間に、ノイズ処理部８が設けられる。これらの送信部７と受信部９とノイズ処理部８により、データ伝送装置１００が構成される。このように、複合機１０１は、データ伝送装置１００を含む。
【００６１】
尚、本説明では、受信部９は画像処理部５２に設けられる例を説明するが、受信部９は記憶部６に設けてもよい。この場合、データ伝送装置１００は、画像読取部２から記憶部６への画像データの伝送を扱うものとなり、画像読取部２の原稿読み取りで得られた画像データは、記憶部６に一旦蓄積され、画像処理部５２に供される。そのため、記憶部６に送信部７を設け、画像処理部５２に受信部９を別途設け、データ伝送装置１００は、記憶部６から画像処理部５２への画像データの伝送を扱うものとしても良い。そして、以下の説明は、送信部７を画像読取部２以外に設ける場合や、受信部９を画像処理部５２以外に設ける場合にも同様に適用できる。
【００６２】
（データ伝送装置１００のハードウェア構成）
次に、図４に基づき、実施形態に係るデータ伝送装置１００のハードウェア構成の一例を説明する。図４は、データ伝送装置１００のハードウェア構成の一例を示すブロック図である。
【００６３】
まず、送信部７から説明する。データ伝送装置１００では、送信部７内に送信用の回路として、第１タイミングコントローラー７０や第１画像データメモリー７１等を有する。
【００６４】
第１タイミングコントローラー７０は、例えば、コピーやスキャンの際、スキャナＣＰＵ２０ａの指示を受け、画像データの伝送における同期用の信号を生成する。例えば、第１タイミングコントローラー７０は、第１垂直同期信号ＶＳＹＮＣ１や第１水平同期信号ＨＳＹＮＣ１や第１有効区間信号Ｓ１を生成する。
【００６５】
第１垂直同期信号ＶＳＹＮＣ１は、１ページの画像データの送信開始前の時点で状態が変化し（例えば、立ち上がる）、送信終了後の時点で状態が変化する（例えば、立ち下がる）信号である。尚、立ち上がり、立ち下がりは逆でもよい。言い換えると、第１垂直同期信号ＶＳＹＮＣ１は、１ページの画像データの区切りを示す信号である。
【００６６】
第１画像データメモリー７１は、イメージセンサー２４で生成され、Ａ／Ｄ変換部２５や補正部２６でディジタル化された画像データの入力を受け、蓄える。例えば、第１タイミングコントローラー７０は、画像データの第１画像データメモリー７１への蓄積が開始されたり、蓄積が完了したりすると、第１垂直同期信号ＶＳＹＮＣ１を変化させる。そして、第１タイミングコントローラー７０は、第１画像データメモリー７１に１ページの画像データの先頭ラインからの画像データの送信を開始させる。
【００６７】
第１水平同期信号ＨＳＹＮＣ１は、１ページの画像データ内の１ラインの区切りを示す信号である。第１水平同期信号ＨＳＹＮＣ１は、ラインの画像データを送信開始前の時点で状態が変化し（例えば、立ち下がる）、１ライン分の画像データの送信が終了した後、状態が変化する（例えば、立ち上がる）信号である。尚、立ち上がり、立ち下がりは逆でもよい。言い換えると、第１水平同期信号ＨＳＹＮＣ１は、１ライン分の画像データを送信すべき期間を示す信号である。
【００６８】
例えば、第１画像データメモリー７１で１ライン分の画像データの蓄積、送信準備が完了すると、第１タイミングコントローラー７０は、第１水平同期信号ＨＳＹＮＣ１によりラインを切り替えた後、第１画像データメモリー７１から１ラインの先頭画素からの送信を行わせる。これにより、送信部７から受信部９に向けての１ライン分のデータの送信が行われる。
【００６９】
尚、画像データは、複数の画素が一列に並べられたラインを複数組み合わせて構成される。６００ｄｐｉでＡ４サイズに対応する画像データを例に挙げると、画像データの短辺（Ａ４の場合、約２１ｃｍ）では、約５０００本のラインが並ぶ。そのため、例えば、第１水平同期信号ＨＳＹＮＣ１は、第１垂直同期信号ＶＳＹＮＣ１が立ち上がってから立ち下がるまで、数千回、立ち上がりと立ち下がりを繰り返す。
【００７０】
第１有効区間信号Ｓ１は、画像データの送信が有効な状態であるか否か（データが有効か無効か）を示す信号である。第１タイミングコントローラー７０は、第１画像データメモリー７１から１ライン分の画像データの送信開始に伴い、第１有効区間信号Ｓ１の状態を変化させ（例えば、立ち上げる）、送信終了とともに状態を変化させる（例えば、立ち下げる）。尚、立ち上がり、立ち下がりは逆でもよい。そして、第１有効区間信号Ｓ１の状態は、第１水平同期信号ＨＳＹＮＣ１が立ち下がっている状態で変化する。
【００７１】
送信部７が送信した第１垂直同期信号ＶＳＹＮＣ１、第１水平同期信号ＨＳＹＮＣ１、第１有効区間信号Ｓ１、画像データは、ノイズ処理部８に入力される。
【００７２】
ノイズ処理部８は、例えば、チップ化されたＡＳＩＣである。そして、ノイズ処理部８は、入力された第１垂直同期信号ＶＳＹＮＣ１、第１水平同期信号ＨＳＹＮＣ１、第１有効区間信号Ｓ１からノイズを除去するノイズ除去部８０を有する。
【００７３】
ノイズ除去部８０は、例えば、ノイズ除去処理制御を行うノイズ除去制御部８２、ノイズ除去処理のため、各信号の状態をサンプリングするサンプリング部８３、ノイズが発生したか否かを検知するための基準値を保持する基準値保持部８４、時間を計る計時部８５等を含む。
【００７４】
各信号（第１垂直同期信号ＶＳＹＮＣ１、第１水平同期信号ＨＳＹＮＣ１、第１有効区間信号Ｓ１）の状態変化があったとき、ノイズ除去部８０のサンプリング部８３は、予め定められた回数（例えば、数回〜十数回）、状態変化のあった信号の状態をサンプリングする。そして、ノイズ除去部８０は、サンプリングにより得られたサンプリング値が、全て状態変化後の値で一致すれば、ノイズではなく、本当に状態変化があったとして、サンプリングした各信号の論理を今までと反転させた信号を信号出力部８６から受信部９に向けて出力する。一方、ノイズ除去部８０は、サンプリングにより得られたサンプリング値が、全て、状態変化後の値で一致しなければ、ノイズが混入したとして、サンプリングした信号の論理を反転させないように整形した波形の信号を信号出力部８６から受信部９に向けて出力する。
【００７５】
ノイズ処理部８は、上記のノイズ除去処理を、第１垂直同期信号ＶＳＹＮＣ１、第１水平同期信号ＨＳＹＮＣ１、第１有効区間信号Ｓ１のそれぞれに対して行う。そして、ノイズ処理部８は、第１垂直同期信号ＶＳＹＮＣ１、第１水平同期信号ＨＳＹＮＣ１、第１有効区間信号Ｓ１のそれぞれの信号波形をノイズ除去のために整形した信号である第２垂直同期信号ＶＳＹＮＣ２、第２水平同期信号ＨＳＹＮＣ２、第２有効区間信号Ｓ２を信号出力部８６から出力する。
【００７６】
尚、ノイズ処理部８には、送信部７が出力した画像データを複数ライン分蓄えるラインメモリー８１を設けることができる。ラインメモリー８１は、受信部９の第２画像データメモリー９１に向けて画像データを出力する。
【００７７】
受信部９には、第２垂直同期信号ＶＳＹＮＣ２、第２水平同期信号ＨＳＹＮＣ２、第２有効区間信号Ｓ２に基づき、画像データの伝送での同期をとり、画像データの取得、受信を制御する第２タイミングコントローラー９０が設けられる。第２タイミングコントローラー９０は、第２垂直同期信号ＶＳＹＮＣ２に基づき、１ページの画像データの送信開始と終了を認識する。又、第２タイミングコントローラー９０は、第２水平同期信号ＨＳＹＮＣ２に基づき、ラインの切り替わりを認識する。又、第２タイミングコントローラー９０は、第２有効区間信号Ｓ２に基づき、画像データの送信が有効である区間と無効である区間を認識する。そして、第２タイミングコントローラー９０は、有効区間のとき、第２画像データメモリー９１に画像データを取得させる。言い換えると、受信部９（第２タイミングコントローラー９０）は、有効区間のとき第２画像データメモリー９１で取得されたデータを、有効な画像データと扱う。
【００７８】
（データ伝送装置１００の画像データ伝送）
次に、図５に基づき、実施形態に係るデータ伝送装置１００での同期信号の状態変化と画像データ伝送の一例を説明する。図５は、データ伝送装置１００で、ノイズが無いときの各信号の状態変化の一例を示すタイミングチャートである。
【００７９】
まず、ノイズがないとき（通常時）のデータ伝送装置１００での各種同期信号の状態変化と画像データの伝送を説明する。
【００８０】
送信部７（の第１タイミングコントローラー７０）は、１ページの画像データの送信の開始を知らせ、１ページ分の画像データの送受信での同期をとるため、第１垂直同期信号ＶＳＹＮＣ１を立ち上げる（ｔ１の時点）。尚、図５のタイミングチャートには示していないが、１ページ分の画像データの送信が完了すると、第１垂直同期信号ＶＳＹＮＣ１は立ち下がる。
【００８１】
ノイズ処理部８は、第１垂直同期信号ＶＳＹＮＣ１の状態変化を認識し、予め定められた回数、第１垂直同期信号ＶＳＹＮＣ１の状態をサンプリングする。そして、ノイズ除去部８０は、サンプリングにより得られたサンプリング値が、全て状態変化後の値で一致すると、本当に状態変化が合ったとして、いままでの状態と論理を反転させた第２垂直同期信号ＶＳＹＮＣ２を受信部９に向けて出力する（ｔ２の時点）。尚、図５に示すように、ノイズ処理部８によるサンプリングに一定の時間を有するので、第１垂直同期信号ＶＳＹＮＣ１の状態変化が第２垂直同期信号ＶＳＹＮＣ２の状態変化に反映されるまで、予め定められた一定時間Δ１分のずれが生ずる。
【００８２】
又、送信部７（の第１タイミングコントローラー７０）は、画像データの伝送中、ラインの切り替わりを知らせ、１ライン分の画像データの送受信での同期をとるため、第１水平同期信号ＨＳＹＮＣ１を立ち下げる（ｔ３、ｔ５の時点）。
【００８３】
ノイズ処理部８は、第１水平同期信号ＨＳＹＮＣ１の状態変化を認識し、予め定められた回数、第１水平同期信号ＨＳＹＮＣ１の状態をサンプリングする。そして、ノイズ除去部８０は、サンプリングにより得られたサンプリング値が、全て状態変化後の値で一致すると、本当に状態変化が合ったとして、いままでの状態と論理を反転させた第２水平同期信号ＨＳＹＮＣ２を受信部９に向けて出力する（ｔ４、ｔ６の時点）。尚、図５に示すように、ノイズ処理部８によるサンプリングに一定の時間を有するので、第１水平同期信号ＨＳＹＮＣ１の状態変化が第２水平同期信号ＨＳＹＮＣ２の状態変化に反映されるまで、予め定められた一定時間Δ１分のずれは生ずる。
【００８４】
又、送信部７（の第１タイミングコントローラー７０）は、画像データの送信が有効な状態であることを知らせ、画像データの実際の送受信での同期をとるため、第１有効区間信号Ｓ１を立ち上げる（ｔ７の時点）。又、１ライン分の画像データの送信後、送信部７（の第１タイミングコントローラー７０）は、１ライン分の画像データの送信が完了し、無効な状態であることを知らせるため、第１有効区間信号Ｓ１を立ち下げる（ｔ８の時点）。このように、本実施形態の説明では、Ｈｉｇｈ状態である区間が有効区間であり、Ｌｏｗである区間が無効区間である。
【００８５】
ノイズ処理部８は、第１有効区間信号Ｓ１の状態変化を認識し、予め定められた回数、第１有効区間信号Ｓ１の状態をサンプリングする。そして、ノイズ除去部８０は、サンプリングにより得られたサンプリング値が、全て状態変化後の値で一致すると、本当に状態変化が合ったとして、いままでの状態と論理を反転させた第２有効区間信号Ｓ２を受信部９に向けて出力する（ｔ９、ｔ１０の時点）。尚、図５に示すように、ノイズ処理部８によるサンプリングに一定の時間を有するので、第１有効区間信号Ｓ１の状態変化が第２有効区間信号Ｓ２の状態変化に反映されるまで、予め定められた一定時間Δ１分のずれが生ずる。
【００８６】
尚、上述のように、ノイズ処理部８の処理により、第１有効区間信号Ｓ１が有効を示す状態となってから（立ち上がってから）、第２有効区間信号Ｓ２が有効を示す状態となるまで（立ち上がるまで）、一定時間Δ１を要する。そのため、第１タイミングコントローラー７０１が、有効を示す状態に第１有効区間信号Ｓ１を変化させ、送信部７の第１画像データメモリー７１から画像データの送信開始させるのと同時に（ｔ１１の時点）、受信部９の第２タイミングコントローラー９０は、画像データの送信が有効であることを認識できない。
【００８７】
そこで、本実施形態では、例えば、ノイズ処理部８のラインメモリー８１は、一定時間Δ１分の時間遅延させた画像データを受信部９の第２画像データメモリー９１に向けて出力する。これにより、１ラインの画像データの先頭の画素から、漏れなく画像データが受信部９に受信される（図５において遅延させた画像データを「画像データＤ１’」として図示。以下、同様。）。あるいは、ノイズ処理部８のラインメモリー８１に遅延させず、送信部７の第１画像データメモリー７１が、一定時間Δ１分のダミーのデータを１ラインの画像データの先頭に付加した画像データを送信してもよい。
【００８８】
（ノイズ混入による有効区間の開始の遅れ検知）
次に、図５〜図７に基づき、ノイズ混入による有効区間の開始の遅れが生じたときの画像データ伝送の一例を説明する。図６は、データ伝送装置１００で、ノイズ混入による有効区間の開始の遅れを説明するためのタイミングチャートである。図７は、ノイズ混入による有効区間の開始の遅れの検知制御の流れの一例を示すフローチャートである。
【００８９】
まず、図６を用いて、ノイズ混入による有効区間の開始の遅れを説明する。図６に示すように、第１有効区間信号Ｓ１が立ち上がる前に（有効区間を示す状態となる前に）、第１有効区間信号Ｓ１にノイズが混入したとき（図６のｔ１２の時点）、ノイズ処理部８は、第１有効区間信号Ｓ１の状態変化があったため、一定時間Δ１をかけて予め定められた回数、第１有効区間信号Ｓ１の状態をサンプリングする。このとき、サンプリングにより得られたサンプリング値の全ては、状態変化後の値で一致しないので、ノイズ処理部８は、ノイズと判断し、第２有効区間信号Ｓ２の状態を変化させずに保つことになる。
【００９０】
ここで、ノイズ処理部８が、一定時間Δ１をかけて、予め定められた回数、第１有効区間信号Ｓ１の状態をサンプリングし、ノイズか否かを検知している間に、第１有効区間信号Ｓ１が本当に切り替わる（立ち上がる）ときがある（図６のｔ１３の時点）。この場合、ノイズ処理部８は、ノイズと判断した後に、再び、一定時間Δ１をかけて予め定められた回数、第１有効区間信号Ｓ１の状態をサンプリングしてから、有効を示す状態に第２有効区間信号Ｓ２の状態を切り替える（図６のｔ１４の時点）。
【００９１】
このように、第１有効区間信号Ｓ１が立ち上がる前に（有効区間を示す状態となる前に）、第１有効区間信号Ｓ１にノイズが混入すると、第１有効区間信号Ｓ１に対する第２有効区間信号Ｓ２の変化が、ノイズがないときの予め想定される一定時間Δ１分（ｔ１３〜ｔ１５の区間）よりも更に遅れる場合がある（図６において、ｔ１３〜ｔ１４の区間。一定時間Δ１＋αと図示）。
【００９２】
ノイズ混入により、通常の第２有効区間信号Ｓ２の変化点（図６のｔ１５の時点）よりも遅れて有効区間信号が立ち上がると、有効区間が通常（本来）よりも短くなる。そのため、１ラインの画像データのうち、ノイズで有効区間の開始の遅れ分（ずれ分、図６において、ｔ１５〜ｔ１４の区間。αの区間）だけ先頭部分の画素のデータが失われる。そうすると、画像データの画質の低下を招く。そこで、ノイズのため、通常の有効区間よりも有効区間の開始が遅れたとき、画質低下を防ぐための処理を行う必要がある。そのためには、ノイズのため、通常の有効区間よりも有効区間の開始が遅れたことを検知する必要がある。そこで、まず、図７を用いて、ノイズ混入による有効区間の開始の遅れの検知を説明する。
【００９３】
まず、図７のスタートは、原稿の読み取りが開始され、画像読取部２で１ページ分の画像データの生成が開始された時点である。この後、送信部７から受信部９に向けて、順次、画像データが送信される。尚、本フローチャートは、１ページの画像データの伝送ごとに、スタート→エンドが繰り返される。
【００９４】
そして、ノイズ処理部８は、第２水平同期信号ＨＳＹＮＣ２の変化点（立ち下がりエッジ）から第２有効区間信号Ｓ２の変化点（立ち上がりエッジ、有効を示す状態への変化）までの時間（図５において、時間Ｔ１）を複数ライン分、測定する（ステップ♯１）。そして、ノイズ処理部８は、測定した時間に基づき、第１基準値を定める（ステップ♯２）。例えば、ノイズ除去部８０は、５〜２０ライン分の変化点から変化点までの時間を計時する（画像データの全ライン数よりも少ない）。
【００９５】
具体的に、ノイズ除去部８０の計時部８５は、第２水平同期信号ＨＳＹＮＣ２の変化点から第２有効区間信号Ｓ２の変化点までの時間を複数ライン分、計時する。そして、ノイズ除去制御部８２は、計時された時間に基づき第１基準値を定め、基準値保持部８４に保持させる。例えば、ノイズ除去制御部８２は、計時された各時間の平均をとり第１基準値を定めても良いし（平均値）、最も多い時間を第１基準値と定めても良い（多数決）。尚、第１水平同期信号ＨＳＹＮＣ１の変化点（立ち下がりエッジ）から第２有効区間信号Ｓ２の変化点（立ち上がりエッジ、有効を示す状態への変化）までの時間を複数ライン分取得し、同様に基準値を定めても良い（図５に「時間Ｔ１’」と図示）
【００９６】
そして、ノイズ処理部８は、現在のラインについて、第２水平同期信号ＨＳＹＮＣ２の変化点（立ち下がりエッジ）から第２有効区間信号Ｓ２の変化点（立ち上がりエッジ）までの時間と、第１基準値とを比較する（ステップ♯３）。
【００９７】
そして、ノイズ処理部８は、現在のラインで、ノイズにより通常よりも有効区間がずれているか（ノイズ混入による有効区間の開始の遅れが生じているか）を判断し、ノイズによる有効区間の開始の遅れの有無を検知する（ステップ♯４）。尚、有効区間の開始の遅れが生じているときの処理の詳細は後述する。
【００９８】
具体的に、ノイズ除去制御部８２は、第１基準値と第２水平同期信号ＨＳＹＮＣ２の変化点から第２有効区間信号Ｓ２の変化点までの時間の時間差である第１時間差を求める。そして、ノイズ除去制御部８２は、予め定められた許容範囲に第１時間差が収まるか否かにより、ノイズによる有効区間の開始の遅れの有無を判断する。ノイズ除去制御部８２は、許容範囲を越えれば、有効区間の開始の遅れが有ると判断し、許容範囲に収まるのであれば、有効区間の開始の遅れは無いと判断する。許容範囲は、第１時間差の誤差を許容する範囲であり、予め定められた回数、第１有効区間信号Ｓ１の状態をサンプリングするために要する一定時間Δ１よりも短い時間である。
【００９９】
そして、ノイズ処理部８は、第２垂直同期信号ＶＳＹＮＣ２を確認して、全てのラインの伝送が終了したかを確認する（ステップ♯５）。もし、全てのラインの伝送が終了すれば（ステップ♯５のＹｅｓ）、本フローは終了する（エンド）。一方、全てのラインの伝送が完了していなければ（ステップ♯５のＮｏ）、第１水平同期信号ＨＳＹＮＣ１、第２水平同期信号ＨＳＹＮＣ２等の状態変化により、次のラインの画像データの伝送が開始される（ステップ♯６）。その後、ステップ♯３に戻る。
【０１００】
（有効区間の開始の遅れ検知時の処理）
次に、図８、図９に基づき、ノイズ混入による有効区間の開始の遅れが検知されたときの処理の一例を説明する。図８は、有効区間の開始の遅れ検知時の処理の流れの一例を示すフローチャートである。図９は、有効区間の開始の遅れを検知したときの画像データ伝送の補正の設定を行うための設定画面１１ａの一例を示す説明図である。
【０１０１】
まず、本実施形態のノイズ処理部８は、第２有効区間信号Ｓ２での有効区間の開始がノイズの混入により通常よりも遅れていることを検知したラインでは、画質の劣化を減らすための処理（補正処理）を行う。そして、図８のスタートは、有効区間の開始の遅れを検知した時点である。尚、図８のフローチャートは、ノイズにより有効区間の開始の遅れが検知されるごとに実行される。
【０１０２】
具体的に、ノイズ処理部８は、ラインの画像データを記憶するラインメモリー８１を用いて、有効区間の開始の遅れを検知したラインでは、空白データ、前のラインの画像データ、又は、第１時間差分ずらした現在のラインの画像データの何れかを画像データとして受信部９に出力する。このように、有効区間の開始の遅れを検知したラインでは、ノイズ処理部８は、補正した１ライン分の画像データを送信する（ステップ♯２２、詳細は後述）。尚、ノイズ処理部８は、有効区間の開始の遅れを検知しないラインでは、通常通り、送信部７が送信した画像データを受信部９に入力する。
【０１０３】
まず、本実施形態のノイズ処理部８は、空白データ（真っ白なデータ）を受信部９に出力できる。このとき、ノイズ処理部８は、ラインメモリー８１に、ラインの各画素について、白を示すデータを受信部９に向けて送信させる。
【０１０４】
例えば、文字原稿（文書）を読み取って得られた原稿では、もともと地肌部分（下地部分）の面積が広いので、１本のラインを真っ白なラインに差し替えてもそれほど目立たない場合がある。そのため、有効区間の開始の遅れにより一部が失われたラインのデータを用いて印刷などを行うよりも、真っ白なラインに差し替えた方が、画質の劣化、乱れを抑えることができる場合がある。
【０１０５】
又、本実施形態のノイズ処理部８は、前のラインの画像データを受信部９に出力できる。ノイズ処理部８のラインメモリー８１は、前のラインの画像データを記憶しておく。そして、有効区間の開始の遅れを検知では、ノイズ処理部８は、ラインメモリー８１に、前のラインの画像データを受信部９に出力（送信）させる。このとき、第２有効区間信号Ｓ２の有効への状態を変化に合わせて、前のラインの画像データを順次送信する。
【０１０６】
例えば、文字原稿（文書）を読み取って得られた画像データに基づき印刷を行うとき、有効区間の開始の遅れにより一部が失われたラインのデータを用いて印刷などを行うよりも、前のラインの画像データに差し替えた方が、画質の劣化、乱れを抑えることができる場合がある。
【０１０７】
又、写真原稿を読み取って得られた画像データに基づき印刷等を行うとき、一部が失われたラインのデータを用いると不自然な色や画像が現れかねない。一方、写真原稿を読み取って得られた画像データでは、前のラインの画像データに差し替えても、差し替えに気づき憎い場合がある。
【０１０８】
又、本実施形態のノイズ処理部８は、第１時間差を認識できるので、第１時間差分ずらした（遅らせた）現在のラインの画像データを受信部９に出力してもよい。
【０１０９】
そして、いずれの態様で有効区間の開始の遅れを検知したラインの画像データの補正を行うかは、図９に示すように、操作パネル１で予め設定しておくことができる。
【０１１０】
図９は、操作パネル１の液晶表示部１１に表示される設定画面１１ａの一例を示している。使用者は、操作パネル１に対して入力を行うことにより、有効区間の開始の遅れを検知したラインの画像データの補正に関する設定画面１１ａを表示させることができる。
【０１１１】
この設定画面１１ａでは、読み取る原稿の種類（画像読取部２の送信部７から送信される画像データの種類）に応じて、いずれの方法で有効区間の開始の遅れを検知したラインの画像データの補正を行うかを設定することができる。
【０１１２】
ここで、使用者は、操作パネル１に設けられる液晶表示部１１とタッチパネル部１２を用いて、コピーやスキャンを行うとき、「文字原稿」、「写真原稿」、「文字＋写真」というように原稿の画質を設定することができる。尚、操作パネル１に「文字原稿」、「写真原稿」、「文字＋写真」というように原稿の画質を設定するためのハードキーが設けられても良い。
【０１１３】
原稿の画質を設定によって、例えば、画像処理部５２が行う画像処理の内容が変化する。例えば、文字原稿が選択された場合、鮮明にし、くっきりとした文字とするため、画像処理部５２は、エッジ強調処理（微分フィルター処理）を画像データに施す。又、写真原稿が選択された場合、滑らかな色変化を再現するため、画像処理部５２は、平滑化処理（積分フィルター処理）を画像データに施す。又、「文字＋写真」が選択された場合、画像処理部５２は、画像データを文字領域と写真領域に分割し、それぞれの領域に、微分フィルター処理や積分フィルター処理を行う。
【０１１４】
そして、設定画面１１ａには、文字＋写真キーＫ１、文字キーＫ２、写真キーＫ３が設けられる。使用者は、設定したい原稿の種類を示すキーを押す。何れかのキーが押されると、液晶表示部１１は、有効区間の開始の遅れを検知したラインの画像データの送信方法（補正の内容）を選択して設定する設定選択領域が表示される。設定選択領域には、空白データ、前のラインの画像データ、又は、第１時間差分ずらした現在のラインの画像データの何れかを画像データとして受信部９に出力するかを選択するためのラジオボタンＲ１〜Ｒ３が設けられる。使用者は、何れかのラジオボタンを押して選択を行う。又、設定選択領域は、文字＋写真キーＫ１、文字キーＫ２、写真キーＫ３が押されるごとに表示され、原稿の画質の種類に応じて、有効区間の開始の遅れを検知したラインの画像データをどのように補正するかを選択することができる。
【０１１５】
そして、設定画面１１ａでのＯＫキーＫ４が押されると、設定内容が記憶部６に記憶される。そして、ノイズ処理部８は、原稿の読み取りに際し、操作パネル１に入力された原稿の画質の設定と記憶部６に記憶された設定内容に基づき有効区間の開始の遅れを検知したラインの画像データをどのように補正するかを確認する（ステップ♯２１）。そして、有効区間の開始の遅れを検知したラインでは、ノイズ処理部８は確認した補正を施したラインの画像データを受信部９に出力する（ステップ♯２２）。
【０１１６】
そして、第２有効区間信号Ｓ２での有効区間の開始の遅れがあると、本来の有効区間よりも有効区間は短くなる。そこで、ノイズ処理部８は、有効区間の開始の遅れを検知したラインでは、第１時間差分、有効区間を長くした第２有効区間信号Ｓ２を受信部９に出力する（ステップ♯２３→エンド）。これにより、１ライン分の画素が足りないということは生じない。
【０１１７】
（ノイズ混入による有効区間の終了の遅れ検知）
次に、図５、図１０、図１１に基づき、実施形態に係るデータ伝送装置１００で、ノイズ混入による有効区間の終了の遅れが生じたときの画像データ伝送の一例を説明する。図１０は、データ伝送装置１００で、ノイズ混入による有効区間の終了の遅れを説明するためのタイミングチャートである。図１１は、ノイズ混入による有効区間の終了の遅れの検知制御の流れの一例を示すフローチャートである。
【０１１８】
まず、図１０を用いて、ノイズ混入による有効区間の終了の遅れを説明する。図１０に示すように、第１有効区間信号Ｓ１が立ち下がる前（有効区間の完了の前、無効区間を示す状態となる前）に、第１有効区間信号Ｓ１にノイズが混入したとき（図１０のｔ２１の時点）、ノイズ処理部８は、第１有効区間信号Ｓ１の状態変化があったため、一定時間Δ１をかけて、予め定められた回数、第１有効区間信号Ｓ１の状態をサンプリングする。このとき、サンプリングにより得られたサンプリング値の全ては、状態変化後の値（Ｌｏｗ）で一致しない。そのため、ノイズ処理部８は、ノイズと判断し、第２有効区間信号Ｓ２の状態を変化させずに保つことになる（Ｈｉｇｈで保つ）。
【０１１９】
ここで、ノイズ処理部８が、一定時間Δ１をかけて、予め定められた回数、第１有効区間信号Ｓ１の状態をサンプリングし、ノイズか否かを検知している間に、第１有効区間信号Ｓ１が本当に切り替わる（立ち下がる）ときがある（図１０のｔ２２の時点）。この場合、ノイズ処理部８は、ノイズと判断した後に、再び、一定時間Δ１をかけて予め定められた回数、第１有効区間信号Ｓ１の状態をサンプリングしてから、無効を示す状態（Ｌｏｗ状態）に、第２有効区間信号Ｓ２の状態を切り替える（図１０のｔ２３の時点）。このように、第１有効区間信号Ｓ１が立ち下がる前に（無効区間を示す状態となる前に）、第１有効区間信号Ｓ１にノイズが混入すると、第１有効区間信号Ｓ１に対する第２有効区間信号Ｓ２の変化が、ノイズがないときの予め想定される一定時間Δ１分（ｔ２２〜ｔ２４の区間）よりも更に遅れる場合がある（図１０において、ｔ２２〜ｔ２３の区間。一定時間Δ１＋αと図示）。
【０１２０】
ノイズ混入により、通常の第２有効区間信号Ｓ２の変化点ｔ２４よりも更に遅れて有効区間信号が立ち下がると、通常よりも有効区間が長くなる。そのため、１ラインの画像データのうち、ノイズのため、通常よりも有効区間の終了が遅れた分（ずれ分、図１０において、ｔ２４〜ｔ２３の区間。αの区間）だけ、画像データの末尾部分に余分な画素のデータが付加される。
【０１２１】
そうすると、１ラインあたりの画像データの画素数が変化し、伝送処理や画像処理で異常を招く可能性がある。そして、ノイズのため、通常の有効区間よりも有効区間の終了が遅れたとき、余分な画素に対する処理を行う必要がある。そのためには、ノイズにより、通常の有効区間よりも有効区間の終了が遅れたことを検知する必要がある。そこで、まず、図１１を用いて、ノイズ混入による有効区間の開始の遅れの検知を説明する。
【０１２２】
まず、図１１のスタートは、原稿の読み取りが開始され、画像読取部２で１ページ分の画像データの生成が開始された時点である。この後、送信部７から受信部９に向けて、順次、画像データが送信される。尚、本フローチャートは、１ページの画像データの伝送ごとに、スタート→エンドが繰り返される。
【０１２３】
そして、ノイズ処理部８は、第２水平同期信号ＨＳＹＮＣ２の変化点（立ち下がりエッジ）から第２有効区間信号Ｓ２の変化点（立ち下がりエッジ、無効を示す状態への変化点）までの時間（図５において、時間Ｔ２）を複数ライン分、測定する（ステップ♯３１）。そして、ノイズ処理部８は、測定した時間に基づき、第２基準値を定める（ステップ♯３２）。例えば、ノイズ除去部８０は、５〜２０ライン分の変化点から変化点までの時間を計時する（画像データの全ライン数よりも少ない）。
【０１２４】
具体的に、ノイズ除去部８０の計時部８５は、第２水平同期信号ＨＳＹＮＣ２の変化点（立ち下がり）から第２有効区間信号Ｓ２の変化点（立ち下がり、無効を示す状態への変化）までの時間を複数ライン分、計時する。そして、ノイズ除去制御部８２は、計時された時間に基づき第２基準値を定め、基準値保持部８４に保持させる。例えば、ノイズ除去制御部８２は、計時された各時間の平均をとり第２基準値を定めても良いし（平均値）、最も多い時間を第２基準値と定めても良い（多数決）。尚、第１水平同期信号ＨＳＹＮＣ１の変化点（立ち下がりエッジ）から第２有効区間信号Ｓ２の変化点（立ち下がりエッジ）までの時間を複数ライン分取得し、同様に基準値を定めても良い（図５に「時間Ｔ２’」と図示）
【０１２５】
そして、ノイズ処理部８は、現在のラインで、第２水平同期信号ＨＳＹＮＣ２の変化点（立ち下がりエッジ）から第２有効区間信号Ｓ２の変化点（立ち下がりエッジ）までの時間と、第２基準値とを比較する（ステップ♯３３）。
【０１２６】
そして、ノイズ処理部８は、現在のラインで、ノイズにより通常よりも有効区間がずれているか（ノイズ混入により、通常よりも第２有効区間信号Ｓ２の変化が遅れているか）を判断し、ノイズによる有効区間の終了の遅れの有無を検知する（ステップ♯３４）。尚、有効区間の終了の遅れが生じているときの処理の詳細は後述する。
【０１２７】
具体的に、ノイズ除去制御部８２は、第２基準値と第２水平同期信号ＨＳＹＮＣ２の変化点から第２有効区間信号Ｓ２の変化点（立ち下がり、無効を示す状態への変化点）までの時間の時間差である第２時間差を求める。そして、ノイズ除去制御部８２は、予め定められた許容範囲に第２時間差が収まるか否かにより、ノイズによる有効区間の開始の遅れの有無を判断する。ノイズ除去制御部８２は、許容範囲を越えれば、有効区間の終了の遅れが有ると判断し、許容範囲に収まるのであれば、有効区間の終了の遅れは無いと判断する。許容範囲は、第２時間差の誤差を許容する範囲であり、予め定められた回数、第１有効区間信号Ｓ１の状態をサンプリングするために要する一定時間Δ１よりも短い時間である。
【０１２８】
そして、ノイズ処理部８は、第２垂直同期信号ＶＳＹＮＣ２を確認して、全てのラインの伝送が終了したかを確認する（ステップ♯３５）。もし、全てのラインの伝送が終了すれば（ステップ♯３５のＹｅｓ）、本フローは終了する（エンド）。一方、全てのラインの伝送が完了していなければ（ステップ♯３５のＮｏ）、第１水平同期信号ＨＳＹＮＣ１、ＨＳＹＮＣ２の状態変化により、次のラインの画像データの伝送が開始される（ステップ♯３６）。その後、ステップ♯３３に戻る。
【０１２９】
（有効区間の開始の遅れ検知時の処理）
次に、図１０を用いて、ノイズ混入による有効区間の終了の遅れが検知されたときの処理の一例を説明する。
【０１３０】
図１０に示すように、ノイズ混入により、通常の第２有効区間信号Ｓ２の変化点ｔ２４よりも更に遅れて有効区間信号が立ち下がると、通常よりも有効区間が長くなる。そのため、１ラインの画像データのうち、ノイズのため、通常よりも有効区間の終了が遅れた分（図１０において、ｔ２４〜ｔ２３の区間で網掛けで示すαの区間）だけ、画像データの末尾部分に余分な画素のデータが付加される。
【０１３１】
そこで、ノイズ処理部８は、有効区間の終了の遅れを検知したラインでは、第２基準値よりも後の有効区間を無効区間とするように、第２有効区間信号Ｓ２の状態を変化させる。言い換えると、本来の有効区間信号の終了する時点である変化点ｔ２４で第２有効区間信号Ｓ２を立ち下げる。これにより、有効区間の終了の遅れが検知されたラインで、ラインの画像データに余分な画素のデータの付加を防ぐことができる。
【０１３２】
あるいは、ノイズ処理部８は、有効区間の終了の遅れを検知したラインでは、受信部９に第２基準値よりも後の有効区間で受信したデータを破棄する指示を与え、受信部９が、第２基準値よりも後の有効区間で受信したデータを無効と扱うようにしてもよい。
【０１３３】
このようにして、本実施形態のデータ伝送装置１００は、画像データと、画像データが有効か無効かを示す第１有効区間信号Ｓ１と、予め定められた１ライン分の周期で状態が変化し、ラインの切り替わりを示す同期信号（例えば、第１水平同期信号ＨＳＹＮＣ１）を送信する送信部７と、画像データと第１有効区間信号Ｓ１と同期信号の入力を受け、画像データと同期信号（例えば、第２水平同期信号ＨＳＹＮＣ２）を出力するとともに、第１有効区間信号Ｓ１の状態が変化したとき、予め定められた回数、第１有効区間信号Ｓ１の状態をサンプリングし、連続して同じ状態が所定回数続くと続いた状態に論理を切り替えて、第１有効区間信号Ｓ１からノイズを除去した第２有効区間信号Ｓ２を生成し、出力するノイズ処理部８と、ノイズ処理部８が出力した画像データと同期信号（例えば、第２水平同期信号ＨＳＹＮＣ２）と第２有効区間信号Ｓ２が入力され、第２有効区間信号Ｓ２に基づき、画像データが有効な区間であるか否かを認識し、有効区間の画像データを取得する受信部９と、を含み、ノイズ処理部８は、複数ライン分、同期信号の変化点から第２有効区間信号Ｓ２の変化点までの時間を測定し、測定した時間に基づき基準値を求め、基準値と同期信号の変化点から第２有効区間信号Ｓ２の変化点までの時間を各ラインで比較し、第１有効区間信号Ｓ１へのノイズ混入による有効区間のずれの有無を検知する。
【０１３４】
これにより、第１有効区間信号Ｓ１の変化点に近いタイミングで生じたノイズの除去処理によって、第２有効区間信号Ｓ２で示される有効区間にずれが生じたラインを検知することができる。
【０１３５】
又、ノイズ処理部８は、複数ライン分、同期信号（例えば、第２水平同期信号ＨＳＹＮＣ２）の変化点から区間が有効になったことを示す第２有効区間信号Ｓ２の第１変化点までの時間を測定し、測定した時間に基づき第１基準値を求め、第１基準値と、各ラインの同期信号の変化点から第１変化点までの時間差である第１時間差が予め定められた許容範囲に収まるか否かにより、有効区間の開始の遅れの有無を検知する。これにより、第２有効区間信号Ｓ２が有効を示す状態になる時点（有効区間の開始時点）のずれ（遅れ）の発生を検知することができる。
【０１３６】
又、ノイズ処理部８は、ラインの画像データを記憶するラインメモリー８１を含み、有効区間の開始の遅れを検知したラインでは、空白データ、前のラインの画像データ、又は、第１時間差分ずらした現在のラインの画像データの何れかを画像データとして受信部９に出力し、有効区間の開始の遅れを検知しないラインでは、送信部７が送信した画像データを受信部９に入力する。これにより、ノイズにより第２有効区間信号Ｓ２で有効区間の開始を示す変化点がずれ、受信部９での画像データ取得開始が遅れても、ずれたラインでの画像データの内容を補正することができる。そして、有効区間の開始にずれが生じても、画質への影響を軽減することができる。
【０１３７】
又、ノイズ処理部８は、有効区間の開始の遅れを検知したラインでは、第１時間差分、有効区間を長くした第２有効区間信号Ｓ２を受信部９に出力する。これにより、第２有効区間信号Ｓ２での有効区間の開始の遅れに伴い、短くなってしまった有効区間を通常の有効区間の長さに戻し、１ライン分のデータの全てを受信部９に取得させることができる。
【０１３８】
又、有効区間の開始の遅れを検知したラインに対し、空白データ、前のラインの画像データ、又は、第１時間差分ずらした現在のラインの画像データのうち、何れを画像データとして受信部９に出力するかの選択を受け付ける入力部（操作パネル１）を含み、ノイズ処理部８は、入力部への選択入力に応じ、有効区間の開始の遅れを検知したラインで、空白データ、前のラインの画像データ、又は、第１時間差分ずらした現在のラインの画像データを画像データとして受信部９に出力する。これにより、使用者は、ノイズにより有効区間がずれたラインでの画像データの内容の補正方法を選択することができる。従って、使用者は、任意の補正方法で有効区間がずれたラインでの画像データを補正することができる。
【０１３９】
又、入力部は、送信部７から送信する画像データの種類を定める入力と、画像データの種類に応じて、空白データ、前のラインの画像データ、又は、第１時間差分ずらした現在のラインの画像データのうち、何れを画像データとして受信部９に出力するかを定める入力を受け付け、ノイズ処理部８は、有効区間の開始の遅れを検知したラインで、画像データの種類に応じ、空白データ、前のラインの画像データ、又は、第１時間差分ずらした現在のラインの画像データを画像データとして受信部９に出力する。これにより、例えば、文書の画像データでは、前のラインのデータ、又は、第１時間差分ずらした現在のラインのデータで補正し、文字の輪郭の乱れによる画質の劣化を低減し、写真等の画像データでは、空白データで画質の劣化を低減するというように、ノイズが発生したラインに対し、画像データの種類に応じて所望の補正を行うことができる。
【０１４０】
又、ノイズ処理部８は、複数ライン分、同期信号（例えば、第２水平同期信号ＨＳＹＮＣ２）の変化点から区間が無効になったことを示す第２有効区間信号Ｓ２の第２変化点までの時間を測定し、測定した時間に基づき第２基準値を求め、第２基準値と各ラインの同期信号の変化点から第２変化点までの時間差である第２時間差が予め定められた許容範囲に収まるか否かにより、有効区間の終了の遅れの有無を検知する。これにより、第２有効区間信号Ｓ２が無効となった時点（有効区間の終了時点）のずれ（遅れ）の発生を検知することができる。
【０１４１】
又、ノイズ処理部８は、有効区間の終了の遅れを検知したラインでは、第２基準値よりも後の有効区間を無効区間とするように、第２有効区間信号Ｓ２の状態を変化させる。これにより、ノイズにより有効区間の終了を示す第２有効区間信号Ｓ２の変化点がずれ、受信部９での画像データ取得完了が遅れても、ずれたラインでの画像データの内容への影響を軽減することができる。
【０１４２】
又、画像形成装置（例えば、複合機１０１）は、データ伝送装置１００を含む。従って、画像データの伝送の同期に用いる信号にノイズ混入による有効区間のずれを検知可能な画像形成装置を提供することができる。又、画質への影響が軽減された画像データに基づき印刷を行うことができるので、印刷物が高画質の画像形成装置を提供することができる。
【０１４３】
以上、本発明の実施形態につき説明したが、本発明の範囲はこれに限定されず、発明の主旨を逸脱しない範囲で種々の変更を加えて実施することができる。
【産業上の利用可能性】
【０１４４】
本発明は、データ伝送装置やデータ伝送装置を搭載した画像形成装置に利用可能である。
【符号の説明】
【０１４５】
１００  データ伝送装置                １０１  複合機（画像形成装置）
１      操作パネル（入力部）          ２      画像読取部
７      送信部                        ８      ノイズ処理部
８１    ラインメモリー                ９      受信部
Ｓ１    第１有効区間信号              Ｓ２    第２有効区間信号
ＨＳＹＮＣ１  第１水平同期信号（同期信号）
ＨＳＹＮＣ２  第２水平同期信号（同期信号）
【図１】
0005574541.tif 000002
【図２】
0005574541.tif 000003
【図３】
0005574541.tif 000004
【図４】
0005574541.tif 000005
【図５】
0005574541.tif 000006
【図６】
0005574541.tif 000007
【図７】
0005574541.tif 000008
【図８】
0005574541.tif 000009
【図９】
0005574541.tif 000010
【図１０】
0005574541.tif 000011
【図１１】
0005574541.tif 000012